(57)【要約】【課題】専用の除草機及び燃料が不要で、野山や堤防や河川敷などの雑草が繁茂した荒れ地でも、たやすく経済的にかつ広範囲に除草でき、しかも、雑草の根茎を死滅させて、復元不可能な状態に根絶できる根茎死滅方法を提供する。【解決手段】雑草の根茎上に生石灰５を層状に撒布し、その上に散水して保熱・保湿用マット７で覆い、生石灰の水和発熱作用とそれに伴う蒸し作用により根茎を煮殺する。必要に応じ、層状の生石灰上に高保水性材６を敷設して散水する。【選択図】図５
2007252241.tif 000002
【特許請求の範囲】
【請求項１】
雑草の根茎上に生石灰を層状に撒布し、その上に散水して保熱・保湿用マットで覆い、生石灰の水和発熱作用とそれに伴う蒸し作用により根茎を煮殺することを特徴とする根茎死滅方法。
【請求項２】
層状の生石灰上に高保水性材を敷設して散水し、その上から保熱・保湿用マットで覆うことを特徴とする請求項１に記載の根茎死滅方法。
【請求項３】
雑草の立ち茎を刈り取って、生石灰の撒布区域を形成することを特徴とする請求項１又は２に記載の根茎死滅方法。
【請求項４】
立ち茎を刈り取った根茎を持ち上げて空隙を形成しておくことを特徴とする請求項３に記載の根茎死滅方法。
【請求項５】
生石灰の撒布区域の周縁に沿って遮断溝を作溝することを特徴とする請求項１ないし４のいずれかに記載の根茎死滅方法。
【請求項６】
遮断溝に、外域からの根茎侵入を防止する遮断材を設置することを特徴とする請求項５に記載の根茎死滅方法。
【発明の詳細な説明】
【技術分野】
【０００１】
本発明は、野山や堤防や河川敷等に繁茂するイタドリ等の雑草の根茎を死滅させる根茎死滅方法に関する。
【背景技術】
【０００２】
この種の方法として、特許文献１（特開平７−１６３２８５号公報）には、燃料タンク、バーナー、噴射液タンク、噴射管を手押し台車に搭載した除草機を用い、噴射液タンク内の食用廃油をバーナーで加熱しながら、手押し台車を移動させ、雑草の根元に来たら噴射管を根元に突き刺し、高温となった食用廃油を根元に注入して、根部分の細胞を壊死させることで、雑草全体の枯死を図る雑草除去方法が開示されている。
【０００３】
また、特許文献２（特開平９−１１７２４７号公報）には、燃料タンク、バーナー、給湯部である給湯タンク、噴射ノズル付きホースを手押し台車に搭載した熱湯除草器を用い、手押し台車を移動させながら雑草に熱湯をかけて、枯死させる方法が開示されている。
【０００４】
しかし、これらによると次のような問題点がある。
（１）前者の特許文献１による方法は、高温の食用廃油を雑草の根茎に噴射しても、根茎体や土中の含水・空隙・土壌などの潜在的温度吸収機能に散水高熱が奪われ、高熱保持時間が極めて短く、高温の食用廃油のみで根茎全体の枯死に至らせめることの現実性は極端に低く、例え一時的・部分的にあたかも枯死したかのように見えたとしても、元気な根茎が復活又は隣接から侵入して元の状態に戻る問題がある。また、植物油の使用は、河川環境等への汚染原因となることから、法律（水質汚濁防止法施行令第三条の三）で禁止されており好ましくない。さらに、バーナーや燃料タンクや噴射液タンクを手押し台車に搭載した専用の除草機が必要で、これを現場に持ち込んで移動させなければならならず、燃料も必要であるので、ゴルフ場などの整地された場所での部分的な除草には適用できても、野山や堤防や河川敷などの複雑な地盤の起伏状態に雑草が繁茂した荒れ地での除草は無理である。
【０００５】
（２）後者の特許文献２による方法は、前者同様、熱湯を雑草の根茎にかけても、根茎体や土中の含水・空隙・土壌などの潜在的温度吸収機能に高熱が奪われ、高熱保持時間が極めて短く、根茎全体を熱湯のみで枯死に至らせめることの実現性は極めて低く、例え一時的・部分的にあたかも枯死したかのように見えたとしても、元気な根茎が回復したり隣接から侵入して元の状態に戻る問題がある。また、この場合も、バーナーや燃料タンクや給湯タンクを手押し台車に搭載した専用の熱湯除草器が必要で、これを現場に持ち込んで移動させなければならならず、燃料も必要であるので、圃場や路地や庭などの整地された場所での部分的な除草には適用できても、野山や堤防や河川敷などの複雑な地盤の起伏状態に雑草が繁茂した荒れ地での除草は無理である。
【特許文献１】特開平７−１６３２８５号公報
【特許文献２】特開平９−１１７２４７号公報
【発明の開示】
【発明が解決しようとする課題】
【０００６】
本発明の課題は、このような問題が全くなく、専用の除草機及び燃料が不要で、野山や堤防や河川敷などの雑草が繁茂した荒れ地でも、たやすく経済的にかつ広範囲に除草でき、しかも、雑草の根茎を死滅させて、復元不可能な状態に根絶できる根茎死滅方法を提供することにある。
【課題を解決するための手段】
【０００７】
本発明は、雑草の根茎上に生石灰を層状に撒布し、その上に散水して保熱・保湿用マットで覆い、生石灰の水和発熱作用とそれに伴う蒸し作用により根茎を煮殺する。
【０００８】
好ましい形態は次のとおりである。
層状の生石灰上に高保水性材を敷設して散水し、その上から保熱・保湿用マットで覆う。
雑草の立ち茎を刈り取って、生石灰の撒布区域を形成する。
立ち茎を刈り取った根茎を持ち上げて空隙を形成しておく。
生石灰の撒布区域の周縁に沿って遮断溝を作溝する。
遮断溝に、外域からの根茎侵入を防止する遮断材を設置する。
【発明の効果】
【０００９】
本発明によれば、使用材料が生石灰と水と保熱・保湿用マットだけで、生石灰を層状に撒布し、これに散水して保熱・保湿用マットで覆うだけであるので、専用の除草機及び燃料が不要であり、野山や堤防や河川敷などの雑草が繁茂した荒れ地でも、たやすく経済的にかつ広範囲に除草できる。また、生石灰の水和発熱作用と、保熱・保湿用マットで覆った状態での蒸し作用により、根茎を煮殺し、さらに、処理区域の保水性を高めて湿性効果を向上させることにより、腐食を促進させることもできるので、相乗効果により復元不可能な状態に根絶できる。また、生石灰は残留しても自然環境には影響がなく、保熱・保湿用マットは撤去して繰り返し使用できるので、野山や堤防や河川敷などの環境保全工法として、経済性・作業性・安全性などの各面で優れている。
【００１０】
層状の生石灰上に高保水性材を敷設して散水し、その上から保熱・保湿用マットで覆うと、生石灰の水和発熱作用及び蒸し作用、並びに処理後の腐食を向上させることができる。
【００１１】
雑草の立ち茎を刈り取って、生石灰の撒布区域を設定することで、作業性の向上が図れる。
【００１２】
立ち茎を刈り取った根茎を持ち上げて空隙を形成しておくことにより、土と根茎との間に生石灰が充填されて、生石灰層が根茎を包み込む状態になるので、根茎の煮殺効果を高めることができる。
【００１３】
生石灰の撒布区域の周縁に沿って遮断溝を作溝することにより、外域からの根茎を遮断でき、さらに、遮断溝に遮断材を設置することにより、外域からの根茎の侵入を確実に防止できる。
【発明を実施するための最良の形態】
【００１４】
次に、本発明の実施例を図面に基づいて詳細に説明する。
【実施例】
【００１５】
先ず、イタドリ等の雑草が繁茂しているところであって、本発明を実施したい区域内の雑草の立ち茎を根元から刈り取る。その刈り取りは、鎌や肩掛け式刈払い機や自走式刈払い機などの一般的な刈り取り機具を用いて行えばよい。
【００１６】
立ち茎刈り取り後、図１に示すように、本発明を実施したい区域（以下、実施区域という）１の周縁に沿って、根茎部を切断しながら遮断溝２を作溝する。その作溝は、根切り可能なスコップや溝掘り機などの作溝可能な一般的な機具で行うことができる。
【００１７】
遮断溝２の作溝は、実施区域１外からの根茎が実施区域１内に侵入してくるのを遮断するためであって、その遮断を確実にするため、図２に示すように遮断溝２内に遮断材３を設置する。遮断材３としては、樹脂製シートや樹脂製フィルム等がよく、例えば、一般家庭用に市販されている低廉なポリエチレン製ゴミ袋などが好適である。ゴミ袋を用いる場合、その中に土を詰め込んで、直径約１０ｃｍ程度の棒状団塊とし、これを遮断溝２内に充填する。
【００１８】
立ち茎を刈り取った実施区域１内の根茎は、持ち上げて空隙を形成しておく。その持ち上げに使用する機具としては、図６に示すように、鈎部４ａと支点リング４ｂとその位置を調整するストッパ４ｃとを有する鉄梃棒４や、小型のエンジン式フォークリフト等がある。
【００１９】
実施区域１内及びその周囲をこのようにしてから、図３に示すように、実施区域１内の全域に、粉状又は粒状の生石灰５を層状に撒布し、持ち上げておいた根茎と土との間に生石灰５が充填されるようにする。その撒布は、農薬撒布器などを用いて、一般的な農薬撒布作業と同様に行うことができる。健康上の安全のためにマスク、手袋、眼鏡などの防具を着用する。
【００２０】
撒布する生石灰としては、表１に示すような成分のものでよいが、水和発熱の際の高発熱を望むならば、酸化カルシウム含有率の高い表２の成分のものがよい。
【００２１】
【表１】
2007252241.tif 000003
【００２２】
【表２】
2007252241.tif 000004
【００２３】
次に、層状に撒布した生石灰５上に、図４に示すように、必要に応じて高保水性材６を敷設してその上から、生石灰５が充分に含水するまで散水する。散水後、図５に示すように、フレキシブルな保熱・保湿用マット７で直ちに覆う。高保水性材６としては、枯れ草や木質チップ等を用いる。周辺の除草による枯れ草を用いれば、好都合で、その敷設厚さは約５ｃｍ程度でよい。散水は、バケツと柄杓又はじょうろを用いて手作業で散水したり、タンク付きシャワー型散水器等の散水器で散水する。保熱・保湿用マット７としては、無通気性・無通光性を備えた市販のゴムマット（例えば、厚さ３ｍｍ）やビニールシートやアルミニウム製マット等を用いると、低廉かつ容易に入手できるとともに、繰り返し使用できる。散水に使用する水は、近くに河川があれば、その水を取水して利用できる。
【００２４】
生石灰５が含水すると、水和発熱作用により発熱するが、保熱・保湿用マット７で覆われているので、発熱に伴う蒸し作用も働き、実施区域１内の根茎は数十分で煮殺される。保熱・保湿用マット７で覆った状態を所要日数そのまま維持すれば、根茎は保湿効果の向上により腐食が促進され、さらに遮光の相乗効果によって発芽等の再生を防止できる。
【００２５】
実験によれば、地表面と地中深さ５ｃｍの温度を測定したところ、図７に示すように地表面では最大約２００℃となり約６０℃以上を約６０分継続し、地中においては約６４℃を約２０分間継続し、イタドリの根茎が酵素破壊と思われる淡紫色に変色し、煮死した。同図のグラフは熱湯をかけた場合と比較して示し、熱湯の場合は急激に温度低下したが、生石灰の水和発熱による場合は、一定の温度を持続して緩慢に低下した。
【産業上の利用可能性】
【００２６】
本発明は、野山や堤防や河川敷等における雑草に限らず、農耕地や休耕田や公園等における雑草に対しても適用できる。水和反応後に残留する生石灰は、そのまま土壌改良材として活用できる。
【図面の簡単な説明】
【００２７】
【図１】立ち茎刈り取り、遮断溝を作溝して本発明の実施区域を形成した状態の斜視図である。
【図２】遮断溝内に遮断材を設置状態の斜視図である。
【図３】実施区域内の全域に生石灰を層状に撒布した状態の斜視図である。
【図４】生石灰上に高保水性材を敷設した状態の斜視図である。
【図５】散水後、保熱・保湿用マットで覆った状態の一部切欠斜視図である。
【図６】根茎を持ち上げて空隙を形成する道具の一例の鉄梃棒を示す平面図である。
【図７】地表面及び地中深さ５ｃｍの温度を測定した温度推移を、本発明の実施例の場合と熱湯をかけた場合と対比させて示すグラフである。
【符号の説明】
【００２８】
１  実施区域
２  遮断溝
３  遮断材
４  鉄梃棒
５  生石灰
６  高保水性材
７  保熱・保湿用マット
【図１】
2007252241.tif 000005
【図２】
2007252241.tif 000006
【図３】
2007252241.tif 000007
【図４】
2007252241.tif 000008
【図５】
2007252241.tif 000009
【図６】
2007252241.tif 000010
【図７】
2007252241.tif 000011